【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
電力を蓄えるためのバッテリと、
近接又は接触したセキュリティトークンから電動移動体毎に固有の識別情報を読み出すことが可能な管理機器との間で通信する充電器を接続するための接続部と、
前記接続部に前記充電器が接続された後、前記バッテリへの充電に関する所定の処理が開始された場合に駆動機構の動作を禁止する駆動禁止部と、
前記管理機器により前記セキュリティトークンから自身の前記識別情報が読み出された後で前記駆動機構の動作を許可する駆動許可部と、
を備える、
電動移動体。
【請求項２】
前記セキュリティトークンから自身の前記識別情報が読み出され、当該識別情報に基づいて前記管理機器から充電を許可する充電許可が前記接続部に接続された前記充電器に通知された後、当該充電器は、当該充電許可に応じて前記バッテリへの充電を開始する、
請求項１に記載の電動移動体。
【請求項３】
前記バッテリを充電する際、充電量に応じた額の税を課す課税サーバに対して前記自身の識別情報及び充電量の情報を送信する情報送信部と、
前記課税サーバから、前記情報送信部により送信された自身の識別情報及び前記充電量の情報に基づいて実行される課税処理の完了通知を受信する情報受信部と、
をさらに備え、
前記駆動許可部は、前記情報受信部により完了通知を受信した後で前記駆動機構の動作を許可する、
請求項２に記載の電動移動体。
【請求項４】
前記管理機器により、前記セキュリティトークンから、前記自身の識別情報に対応する電動移動体との間で認証処理を実行するための認証情報が読み出され、当該認証情報が前記管理機器から前記充電器に提供された後、当該認証情報に基づいて前記充電器との間で認証処理を実行する認証処理部をさらに備え、
前記情報送信部、及び前記駆動禁止部は、前記認証処理部による認証が成功した場合にそれぞれ処理を開始する、
請求項３に記載の電動移動体。
【請求項５】
前記セキュリティトークンは、所定時間より短い時間間隔で連続して前記認証情報が読み出されないように読み出し可能な時間を制御する、
請求項４に記載の電動移動体。
【請求項６】
近接又は接触したセキュリティトークンから情報を読み出す読み出し部と、
前記読み出し部を用いて電動移動体毎に固有の識別情報を取得する識別情報取得部と、
前記バッテリへの充電に関する所定の処理が開始された場合に駆動機構の動作を禁止する機能を有し、かつ、当該機能により駆動機構の動作が禁止された電動移動体のうち、前記識別情報取得部により取得された識別情報に対応する電動移動体に対し、前記駆動機構の動作を許可する駆動許可を通知する駆動許可通知部と、
を備え、
前記電動移動体は、前記駆動許可通知部から駆動許可が通知された後で前記駆動機構の動作を許可する、
管理装置。
【請求項７】
接続された電動移動体に電力を供給する充電器に対し、前記識別情報取得部により取得された識別情報に対応する電動移動体のバッテリへの充電を許可する充電許可を通知する充電許可通知部をさらに備え、
前記充電器は、前記充電許可に応じて前記電動移動体のバッテリへの充電を開始する、
請求項６に記載の管理装置。
【請求項８】
電力を蓄えるためのバッテリと、近接又は接触したセキュリティトークンから電動移動体毎に固有の識別情報を読み出すことが可能な管理機器との間で通信する充電器を接続するための接続部と、を有する電動移動体が、
前記接続部に前記充電器が接続された後、前記バッテリへの充電に関する所定の処理が開始された場合に駆動機構の動作を禁止する駆動禁止ステップと、
前記管理機器により前記セキュリティトークンから自身の前記識別情報が読み出された後で前記駆動機構の動作を許可する駆動許可ステップと、
を含む、
駆動管理方法。
【請求項９】
近接又は接触したセキュリティトークンから情報を読み出す読み出し装置を用いて電動移動体毎に固有の識別情報を取得する識別情報取得ステップと、
前記バッテリへの充電に関する所定の処理が開始された場合に駆動機構の動作を禁止する機能を有し、かつ、当該機能により駆動機構の動作が禁止された電動移動体のうち、前記識別情報取得ステップで取得された識別情報に対応する電動移動体に対して、前記駆動機構の動作を許可する駆動許可を通知する駆動許可通知ステップと、
を含む、
駆動管理方法。
【請求項１０】
管理装置と情報のやり取りを行う通信部と、
プラグに接続された電動移動体との情報の送受信及び前記電動移動体に電力を供給する入出力部と、
前記プラグに接続された電動移動体に電力を供給するための電源を有する電力供給部と、
前記通信部と前記入出力部及び前記電力供給部の動作を制御する制御部と、
を備え、
前記入出力部は、電動移動体が接続されたことを検出し、前記制御部に対し電動移動体の接続を通知し、
前記制御部は、セキュリティートークンから識別情報が入力されると、電動移動体との間で相互認証を行い、相互認証が成功すると、電動移動体に駆動禁止命令を送信するとともに前記電動移動体への充電動作を行い、充電が完了すると電動移動体への電力供給を停止し、
前記制御部は、前記通信部に電動移動体への駆動許可情報及びセキュリティトークンからの識別情報が入力されると、前記識別情報に対応する電動移動体を検出し、電動移動体に対して駆動許可信号を送信する、充電装置。
【手続補正２】
【補正対象書類名】明細書
【補正対象項目名】発明の名称
【補正方法】変更
【補正の内容】
【発明の名称】電動移動体、管理装置、駆動管理方法、及び充電装置
【手続補正３】
【補正対象書類名】明細書
【補正対象項目名】０００１
【補正方法】変更
【補正の内容】
【０００１】
本発明は、電動移動体、管理装置、駆動管理方法、及び充電装置に関する。
【手続補正４】
【補正対象書類名】明細書
【補正対象項目名】００１７
【補正方法】変更
【補正の内容】
【００１７】
こうした仕組みについて検討を進める中で、本件発明者は、トランスポンダキーや非接触ＩＣカード等（以下、セキュリティトークン）に格納された電動移動体に固有の識別情報を利用して電動移動体の駆動管理を行うことにより、充電中の店舗利用を促進させる仕組みを考案した。本発明の目的とするところは、セキュリティトークンに格納された電動移動体に固有の識別情報を利用して、電動移動体の利用者が充電中に管理機器の設置場所まで必ず足を運ぶように仕向けることが可能な、新規かつ改良された電動移動体、管理装置、駆動管理方法、及び充電装置を提供することにある。
【手続補正５】
【補正対象書類名】明細書
【補正対象項目名】００２７
【補正方法】変更
【補正の内容】
【００２７】
また、上記課題を解決するために、本発明の別の観点によれば、上記の電動移動体が備える各構成要素の機能をコンピュータに実現させるためのプログラムが提供される。さらに、上記課題を解決するために、本発明の別の観点によれば、上記の管理装置が備える各構成要素の機能をコンピュータに実現させるためのプログラムが提供される。そして、上記課題を解決するために、本発明の別の観点によれば、上記のプログラムが記録された、コンピュータにより読み取り可能な記録媒体が提供される。
また、上記課題を解決するために、本発明の別の観点によれば、管理装置と情報のやり取りを行う通信部と、プラグに接続された電動移動体との情報の送受信及び前記電動移動体に電力を供給する入出力部と、前記プラグに接続された電動移動体に電力を供給するための電源を有する電力供給部と、前記通信部と前記入出力部及び前記電力供給部の動作を制御する制御部と、を備え、前記入出力部は、電動移動体が接続されたことを検出し、前記制御部に対し電動移動体の接続を通知し、前記制御部は、セキュリティートークンから識別情報が入力されると、電動移動体との間で相互認証を行い、相互認証が成功すると、電動移動体に駆動禁止命令を送信するとともに前記電動移動体への充電動作を行い、充電が完了すると電動移動体への電力供給を停止し、前記制御部は、前記通信部に電動移動体への駆動許可情報及びセキュリティトークンからの識別情報が入力されると、前記識別情報に対応する電動移動体を検出し、電動移動体に対して駆動許可信号を送信する、充電装置が提供される。